(57)【要約】  【課題】  容器本体の下方に重なる蓋体の形状を少なくとも２種類選択できると共に、安定して重ね置きできる包装用容器を提供すること。  【解決手段】  容器本体Ｐの底部Ｂの裏側から突出した脚部１の内側及び外側に、この脚部より低い位置に平面部２が形成されていることにより、この容器本体の下方に重なる蓋体の形状を少なくとも２種類選択できると共に、安定して重ね置きすることができる。例えば、脚部１の内側平面部２１には、この脚部の内側の寸法に一致する第１の蓋体における上部分のうち、この蓋体の上端面が接する。一方、脚部１の外側平面部２２には、この脚部の外側の寸法に一致し、かつこの脚部を外側から囲い込む突起部を有する第２の蓋体における上部分のうち、この突起部の上端面が接する。したがって、蓋体の上部分の容積及び上端面の面積が異なる少なくとも２種類の蓋体を選択することができる。  【選択図】図１
0003215660.tif 000002
【実用新案登録請求の範囲】
【請求項１】
食品を収納する容器本体の底部の裏側から突出した脚部及び平面部とを備え、
前記平面部は、前記底部の面方向における前記脚部の内側及び外側に形成され、当該脚部より低い位置にある
ことを特徴とする包装用容器。
【請求項２】
前記脚部の端部が傾斜している
ことを特徴とする請求項１に記載の包装用容器。
【請求項３】
前記脚部の端部より内側の部分には、溝が形成されている
ことを特徴とする請求項１または２に記載の包装用容器。
【請求項４】
前記脚部が隅切り状である
ことを特徴とする請求項１乃至３のいずれか１項に記載の包装用容器。 
【考案の詳細な説明】
【技術分野】
【０００１】
本考案は、例えばスーパーやコンビニエンスストアで販売される食品の包装用容器に関し、さらに詳しくは、食品が収納された状態で積み重ねて運搬や陳列が行われる包装用容器に関するものである。
【背景技術】
【０００２】
従来から、例えばスーパーやコンビニエンスストアで販売される弁当は、食品が収納された後、容器自体が積み重なった状態で運搬されるばかりでなく、陳列段に積み重ねられていた。すなわち、弁当を収納した容器本体に装着した蓋体の上に、別の弁当が積まれる。これにより、限りある陳列スペースで、より多くの弁当の販売が実現した。一方、食品の収納された容器が蓋体の上に積み重なることで、上側の弁当のバランスが崩れて落下することが懸念されていた。なぜなら、上側または下側の弁当に対して横方向の力が加わることにより、上側の弁当が横ずれしやすかったからである。
【０００３】
そこで、蓋体の天板部が、容器本体の底部に設けられた係合突起（以下、「脚部」ともいう）と係合し、この容器本体及び蓋体が面方向に移動するのを規制する発想が提案されている（例えば、特許文献１参照。）。詳細には、蓋体の天板部における周縁部分を階段構造とすることで、この階段構造に容器本体の底部の裏側から突き出た脚部が外側から囲まれるため、横ずれを未然に防ぐ構造が実現した。
【先行技術文献】
【特許文献】
【０００４】
【特許文献１】特開２０１２−９６８１０号公報
【考案の概要】
【考案が解決しようとする課題】
【０００５】
しかしながら、上述した発想では、階段構造を有する蓋体と、この蓋体に積み重なる容器本体とが限定されてしまう。すなわち、階段構造に一致する脚部を底部に有する容器本体でなければ横方向からの外力に対して弱く、かえって横ずれにより落下する恐れがある。また、階段構造に一致する脚部では、外力からの影響を受けやすく、この脚部のみならず容器本体の破損も引き起こしかねない。また、階段構造の一部に該当する水平部分に脚部からの荷重がかかると、応力集中が水平部分に加わるため、蓋体の破損を引き起こす可能性もある。
【０００６】
弁当の包装用容器は、容器本体のみならず、蓋体の容積次第で収納される食品が変わるため、選択のバリエーションを豊富にすることが望まれている。すなわち、上下に積み重ねられる包装用容器として、１種類の容器本体に対して数種類の蓋体を選択できれば、弁当の種類を増やしやすいばかりでなく、包装用容器にかかるコストを抑えられる。さらに、１種類の容器本体でも数種類の蓋体に対して安定して載置できれば、同じ陳列スペースで数種類の弁当を陳列できるため、需要者へのサービス価値の向上につながる。
【０００７】
また、数種類の蓋体上に積み重ねられる容器本体としては、蓋体と接する脚部及びこの脚部周辺の形状に工夫の余地がある。すなわち、形状の異なる蓋体いずれにも一致するもののみならず、運搬時、販売時及び把持時に加わる外力に影響し難いものであるべきである。
【０００８】
また、一般的に容器本体より蓋体のほうが軟性な素材で成形されている。すなわち、容器本体の脚部よりも蓋体のほうが変形や破損がしやすい。特に、容器本体が蓋体に対して応力集中を加えやすい形状であれば、その応力集中の回避や分散が実現する。
【０００９】
そこで、本考案の第１の目的は、容器本体の下方に重なる蓋体の形状を少なくとも２種類選択できると共に、安定して重ね置きできる包装用容器を提供することにある。また、第２の目的は、容器本体の脚部が不意に加圧されても、上記脚部及び上記容器本体の破損を回避することができる包装用容器を提供することにある。また、第３の目的は、蓋体の上端面への応力集中を回避または軽減し、上記蓋体の破損を予防することができる包装用容器を提供することにある。
【課題を解決するための手段】
【００１０】
上記課題を解決するために、本考案による包装用容器は、食品を収納する容器本体の底部の裏側から突出した脚部及び平面部とを備え、上記平面部は、上記底部の面方向における上記脚部の内側及び外側に形成され、上記脚部より低い位置にあることを特徴とする。
【００１１】
また、上記脚部の端部が傾斜していることが望ましい。
【００１２】
また、上記脚部の端部より内側の部分には、溝が形成されていることが望ましい。
【００１３】
また、上記脚部が隅切り状であることが望ましい。
【考案の効果】
【００１４】
本考案による包装用容器は、容器本体の底部の裏側から突出した脚部の内側及び外側に、上記脚部より低い位置に平面部が形成されていることにより、上記容器本体の下方に重なる蓋体の形状を少なくとも２種類選択できると共に、安定して重ね置きすることができる。例えば、脚部の内側の平面部には、上記脚部の内側の寸法に一致する蓋体の上部分のうち、上記蓋体の上端面が接する。一方、脚部の外側の平面部には、上記脚部の外側の寸法に一致し、かつ上記脚部を外側から囲い込む突起部を有する蓋体の上部分のうち、上記突起部の上端面が接する。したがって、蓋体の上部分の容積及び上端面の面積が異なる少なくとも２種類の蓋体を選択することができる。
【００１５】
また、脚部の端部が傾斜していること、さらに、上記脚部の端部より内側の部分に溝が形成されていることにより、下方向から加わる圧力に対し、上記脚部の破損を予防することができる。すなわち、容器本体が床や机等に載置される場合や上記脚部の外側の寸法に一致する蓋体の上に重ね置きされる場合、上記床や机等または上記蓋体の上端面から上記脚部の端部やこの端部より内側の部分に圧力が加わり難いばかりでなく、容器本体が持ち運ばれる場合、上記脚部が把持されても圧力が分散しやすい。したがって、上記脚部が不意に加圧されても、この脚部ばかりでなく上記容器本体の破損を回避することができる。
【００１６】
また、上記脚部が隅切り状であることにより、横から加わる圧力に対し、脚部の破損を予防することができる。すなわち、上記脚部の内側または外側の寸法に一致する蓋体の上に重ね置きされる場合、容器本体または蓋体が面方向に動くことで加わる圧力を分散しやすい。したがって、上記脚部が不意に加圧されても、この脚部ばかりでなく上記容器本体の破損を回避することができる。
【図面の簡単な説明】
【００１７】
【図１】包装用容器の下方斜視図である。
【図２】包装用容器の平面図である。
【図３】包装用容器の底面図である。
【図４】包装用容器の正面図である。
【図５】包装用容器の背面図である。
【図６】包装用容器の右側面図である。
【図７】容器本体と脚部の内側の寸法に一致する蓋体とが重なる状態を示す図である。
【図８】容器本体と脚部の外側の寸法に一致する蓋体とが重なる状態を示す図である。
【考案を実施するための形態】
【００１８】
以下、図１〜図８を参照しつつ、本考案の一実施形態における包装用容器の構造及び使用状態を説明する。
【００１９】
図１に示すように、本考案の一実施形態における包装用容器は、食品を収納する容器本体Ｐの底部Ｂの裏側から突出した脚部１及び平面部２とを備え、この平面部は、この底部の面方向におけるこの脚部の内側及び外側に形成され、この脚部より低い位置にある。
ここで、「底部Ｂの裏側」とは、容器本体Ｐが床や机等の上に載置されたときに、この床や机等に向き合う方、容器本体Ｐが蓋体の上に積み重ねられたときに、この蓋体の上端面と向き合う方を意味する。「底部Ｂの面方向」とは、この底部に併行な面と同じ方向を意味する。
【００２０】
また、脚部１の脚部の端部１１が傾斜している。
【００２１】
また、脚部１の端部１１より内側の接地部１２には、溝１２ａが形成されている。
【００２２】
また、上記脚部が隅切り状である。
【００２３】
次に、図１〜図６を参照しつつ、本考案の一実施形態における包装用容器を構成する各部の構造を詳細に説明する。なお、図５では、他の図にて符号をつけて説明している脚部が、他の脚部の後方に位置し、図に表れていないため、符号を省略する。
【００２４】
図１〜図６に示すとおり、矩形の包装用容器の容器本体Ｐは、食品が盛り付けられる底部Ｂと、この底部の角部分付近の裏側から突出した脚部１と、この脚部に隣接する平面部２とを備えている。
なお、脚部１及び平面部２は、底部Ｂと一体的に形成されるばかりでなく、この底部の裏側に後付けされてもよい。脚部１と平面部２とは、連続的に形成されるばかりでなく、溝等を隔てて形成されてもよい。すなわち、脚部１同士の間には脚部１がない脚部不連続部１３が形成されてもよい。こうした脚部不連続部によれば、食品を盛り付けた容器本体Ｐに後述する蓋体を容器本体Ｐに被せて嵌合させたあと、蓋体と容器本体Ｐとをまたいでテープ止めする際に、確実にテープ止めすることができる。脚部１及び平面部２が突出する位置は、底部Ｂの裏側のうち、角部付近に限らず、中央付近でもよい。
また、底部Ｂは、平坦状に限らず、凹凸形状でも湾曲した面でもよい。容器本体Ｐは、底部Ｂの周端から立設する外周縁部（付番しない）を有していてもよい。外周縁部は、例えば正方形状や円形状や楕円形状でもよく、底部Ｂから所定の高さ立ち上がった壁部（付番しない）及びこの壁部の上端から外方に向かって略水平に突出するフランジ部（付番しない）とを有していてもよい。
【００２５】
脚部１は、底部Ｂの四つ角付近にそれぞれ設けられ、底部Ｂを所定の高さ持ち上げると共に、容器本体Ｐを支えるものである。
なお、脚部１の形状は、細長い矩形状に限らず、正方形状やドーム状でもよい。それぞれの脚部１の形状は、同一でも同一でなくてもよく、容器本体Ｐの形状及びこの容器本体に収納される食品の重量のバランスを考慮したものがよい。脚部１の数は、単数でも複数でもよい。
【００２６】
平面部２は、底部１の面方向における脚部１の内側に位置する内側平面部２１と、この脚部の外側に位置する外側平面部２２とを有する。内側平面部２１及び外側平面部２２は、同一高さかつ脚部１が床や机等または蓋体に接地する部分より低い位置にある。
なお、平面部２の形状及び範囲に限定はなく、脚部１の四方を囲むものに限らず、この脚部の内側及び外側の一部を占めるものでもよい。
【００２７】
脚部１は、平面部２から傾斜して連なる端部１１と、この端部より内側の部分で、載置時に床や机等または蓋体に接する接地部１２とを有する。接地部１２には、一定間隔毎に複数の溝部１２ａが形成されている。溝部１２ａは、接地部１２の内側端縁及び外側端縁を貫通している。また、脚部１が隅切り状である。
なお、端部１１の傾斜角は、平面部２及び接地部１２に対して５〜６０°傾いており、１０〜５０°傾いていると好ましく、２０〜４５°傾いているとより好ましい。また、端部１１から平面部２にかけて曲面を形成されていてもよく、その曲率半径は、８〜６５ｍｍであってもよいし、９〜６０ｍｍであってもよい。接地部１２は、平面状に限らず、円弧状でもよい。溝部１２ａの形状は、矩形状に限らず、円形状でもよく、深さや長さや向きに限定はない。溝部１２ａの数は、単数でも複数でもよい。脚部１の隅切り角度は、容器本体の縦または横方向の中心線（図示しない）に対して、３０〜６０°傾いており、３５〜５５°傾いていると好ましく、４０〜５０°傾いているとより好ましい。脚部１及び接地部１２の幅は、３〜１２ｍｍで、５〜１０ｍｍが好ましく、６〜９ｍｍがより好ましい。底部Ｂから接地部１２までの高さは、１〜６ｍｍで、２〜５ｍｍが好ましく、２．５〜４．５ｍｍがより好ましい。
【００２８】
次に、図７を参照しつつ、容器本体Ｐが脚部１の内側の寸法に一致する第１の蓋体Ｋ１の上に積み重なる状態を説明する。
なお、第１の蓋体Ｋ１は、容器本体Ｐのフランジ部に嵌合するフランジ部（付番しない）と、このフランジ部の内側から立ち上がった壁部（付番しない）と、この壁部の上端から立ち上がった側面部Ｋ１ａと、この側面部の上端に設けられた上端面とを少なくとも備えているものとする。側面部Ｋ１ａは、脚部１の内側の形状と合致するものが好ましい。
【００２９】
図７に示すとおり、第１の蓋体Ｋ１における上端面の縦横の寸法は、脚部１の内側における縦横の寸法よりも小さい。このため、第１の蓋体Ｋ１上に容器本体Ｐが積み重なると、この第１の蓋体の上端面が内側平面部２１に接すると共に、上端面の周端から下方に設けてある側面部Ｋ１ａがそれぞれの脚部１で横方向から囲まれる。これにより、容器本体Ｐまたは第１の蓋体Ｋ１に対して横方向から外力が加わり位置がずれそうになっても、容器本体Ｐが第１の蓋体Ｋ１上から滑り落ちることを予防することができる。また、第１の蓋体Ｋ１上に容器本体Ｐが積み重なっても、この第１の蓋体の上端面に脚部１が接しないので、この容器本体よりやわらかい素材で成形されたこの第１の蓋体の上端面に応力が集中せず破損を予防することができる。
【００３０】
次に、図８を参照しつつ、容器本体Ｐが脚部１の外側の寸法に一致する第２の蓋体Ｋ２の上に積み重なる状態を説明する。
なお、第２の蓋体Ｋ２は、容器本体Ｐのフランジ部に嵌合するフランジ部（付番しない）と、このフランジ部の内側から立ち上がった壁部（付番しない）と、この壁部の上端に設けられた上端面（付番しない）と、この上端面から突出した突起部Ｋ２ａを少なくとも備えているものとする。突起部Ｋ２ａは、脚部１の外側の形状と合致するものが好ましい。
【００３１】
図８に示すとおり、第２の蓋体Ｋ２における上端面の縦横の寸法は、脚部１の内側における縦横の寸法よりも大きい。このため、第２の蓋体Ｋ２上に容器本体Ｐが積み重なると、この第２の蓋体の上端面が脚部１の接地部１２に接し、この第２の蓋体の上端面における四つ角に設けられた突起部Ｋ２ａが外側平面部２２に接すると共に、それぞれの脚部１がそれぞれの突起部Ｋ２ａで横方向から囲まれる。これにより、容器本体Ｐまたは第２の蓋体Ｋ２に対して横方向から外力が加わり位置がずれそうになっても、容器本体Ｐが第２の蓋体Ｋ２上から滑り落ちることを予防することができる。また、第２の蓋体Ｋ２上に容器本体Ｐが積み重なったとき、突起部Ｋ２ａが外側平面部２２に接するので、この容器本体よりやわらかい素材で成形されたこの第２の蓋体の上端面に脚部１が接するものの、この上端面に加わる応力を緩和することができるため、破損を予防することができる。
【００３２】
このように、本実施形態における包装容器は、容器本体Ｐの底部Ｂの裏側から突出した脚部１の内側及び外側に、この脚部より低い位置に平面部２が形成されていることにより、この容器本体の下方に重なる蓋体の形状を少なくとも２種類選択できると共に、安定して重ね置きすることができる。すなわち、脚部１の内側平面部２１には、この脚部の内側の寸法に一致する第１の蓋体Ｋ１における上部分のうち、この蓋体の上端面が接する。一方、脚部１の外側平面部２２には、この脚部の外側の寸法に一致し、かつこの脚部を外側から囲い込む突起部Ｋ２ａを有する第２の蓋体Ｋ２における上部分のうち、この突起部の上端面が接する。したがって、蓋体の上部分の容積及び上端面の面積が異なる少なくとも２種類の蓋体を選択することができる。
【００３３】
また、脚部１が矩形状で、この脚部の端部１１が傾斜していること、さらに、この脚部の端部より内側の接地部１２に溝１２ａが形成されていることにより、真下や斜め下から加わる圧力に対し、この脚部の破損を予防することができる。すなわち、容器本体Ｐが床や机等に載置される場合や脚部１の外側の寸法に一致する第２の蓋体Ｋ２の上に重ね置きされる場合、床や机等またはこの第２の蓋体の上端面からこの脚部の端部や接地部に圧力が加わり難いばかりでなく、この容器本体が持ち運ばれる場合、この脚部が把持されても圧力が分散しやすい。したがって、脚部１が不意に加圧されても、この脚部ばかりでなく容器本体Ｐの破損を回避することができる。
【００３４】
また、脚部１が隅切り状であることにより、横から加わる圧力に対し、この脚部の破損を予防することができる。すなわち、脚部１の内側または外側の寸法に一致する第１の蓋体Ｋ１または第２の蓋体Ｋ２の上に重ね置きされる場合、容器本体Ｐまたはこれらの蓋体が面方向に動くことで加わる圧力を分散しやすい。したがって、脚部１が不意に加圧されても、この脚部ばかりでなく容器本体Ｐの破損を回避することができる。
【００３５】
なお、本実施形態における容器本体及び蓋体は、例えば真空成形、圧空成形、真空圧空成形、両面真空成形、熱板成形等のシート成形で、合成樹脂シートを熱成形することにより形成される。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。
【産業上の利用可能性】
【００３６】
本考案における包装用容器は、例えば弁当、惣菜、生鮮品、肉類、野菜類を含む食品全般の外販に関する産業に利用可能である。
【符号の説明】
【００３７】
１        脚部
１１      端部
１２      接地部
１２ａ    溝部
２        平面部
２１      内側平面部
２２      外側平面部
Ｐ        容器本体
Ｂ        底部
【図１】
0003215660.tif 000003
【図２】
0003215660.tif 000004
【図３】
0003215660.tif 000005
【図４】
0003215660.tif 000006
【図５】
0003215660.tif 000007
【図６】
0003215660.tif 000008
【図７】
0003215660.tif 000009
【図８】
0003215660.tif 000010